(57)【要約】      （修正有）【課題】透析治療において、患者の状態の過去からの推移を容易に把握できるようにし、医療スタッフの作業負荷を低減することができる血圧データ表示端末を提供する。【解決手段】血圧データ表示端末１は、透析治療時の患者の時系列の血圧値を示す血圧データを、所定の期間分、サーバ２から取得する取得部１１と、取得した血圧データを用いて、透析日時、透析開始からの経過時間、及び血圧値の３次元で表現した３次元グラフを生成し、表示する生成部１３と、を有する。【選択図】図１
2017148162.tif 000002
【特許請求の範囲】
【請求項１】
血圧データ表示端末であって、
透析治療時の患者の時系列の血圧値を示す血圧データを、所定の期間分、サーバから取得する取得部と、
取得した前記血圧データを用いて、透析日時、透析開始からの経過時間、及び血圧値の３次元で表現した３次元グラフを生成し、表示する生成部と、を有すること
を特徴とする血圧データ表示端末。
【請求項２】
請求項１記載の血圧データ表示端末であって、
当該血圧データ表示端末の画面の向きの変化を検知する検知部をさらに備え、
前記検知部が前記画面の向きの変化を検知した場合、前記生成部は、前記３次元グラフを生成すること
を特徴とする血圧データ表示端末。
【請求項３】
請求項２記載の血圧データ表示端末であって、
前記生成部は、前記所定の期間分の血圧データの中から最新の透析日時の血圧データを用いて、透析開始からの経過時間、及び血圧値の２次元で表現した２次元グラフを生成し、表示し、
前記生成部は、前記２次元グラフが表示されている状態で、前記検知部が前記画面の向きが横向きに変化したことを検知した場合、前記最新の透析日時の血圧データが利用者から見て手前になるように前記３次元グラフを生成し、表示すること
を特徴とする血圧データ表示端末。
【請求項４】
請求項１から３のいずれか１項に記載の血圧データ表示端末であって、
前記血圧値は、収縮期血圧値または拡張期血圧値であって、
前記生成部は、前記収縮期血圧値または前記拡張期血圧値が高いほど、濃い色となるように着色した前記３次元グラフを生成すること
を特徴とする血圧データ表示端末。
【請求項５】
コンピュータが行う血圧データ表示方法であって、
前記コンピュータは、
透析治療時の患者の時系列の血圧値を示す血圧データを、所定の期間分、サーバから取得する取得ステップと、
取得した前記血圧データを用いて、透析日時、透析開始からの経過時間、及び血圧値の３次元で表現した３次元グラフを生成する生成ステップと、
前記３次元グラフを表示する表示ステップと、を行うこと
を特徴とする血圧データ表示方法。
【請求項６】
請求項５記載の血圧データ表示方法であって、
当該コンピュータの画面の向きの変化を検知する検知ステップをさらに行い、
前記検知ステップで前記画面の向きの変化を検知した場合、前記生成ステップは、前記３次元グラフを生成すること
を特徴とする血圧データ表示方法。
【請求項７】
請求項６記載の血圧データ表示方法であって、
前記所定の期間分の血圧データの中から最新の透析日時の血圧データを用いて、透析開始からの経過時間、及び血圧値の２次元で表現した２次元グラフを生成し、表示する２次元グラフ生成ステップをさらに行い、
前記生成ステップは、前記２次元グラフが表示されている状態で、前記検知ステップで前記画面の向きが横向きに変化したことを検知した場合、前記最新の透析日時の血圧データが利用者から見て手前になるように前記３次元グラフを生成すること
を特徴とする血圧データ表示方法。
【請求項８】
請求項５から７のいずれか１項に記載の血圧データ表示方法であって、
前記血圧値は、収縮期血圧値または拡張期血圧値であって、
前記生成ステップは、前記収縮期血圧値または前記拡張期血圧値が高いほど、濃い色となるように着色した前記３次元グラフを生成すること
を特徴とする血圧データ表示方法。
【請求項９】
請求項１から４のいずれか１項に記載の血圧データ表示端末として、コンピュータを機能させることを特徴とする血圧データ表示プログラム。
【発明の詳細な説明】
【技術分野】
【０００１】
本発明は、透析治療における患者のデータを表示する技術に関する。
【背景技術】
【０００２】
近年のコンピュータ技術の発達により、様々な分野においてコンピュータが使用されるようになっている。透析治療（人工透析治療）の分野においても同様であり、患者毎の透析治療情報をコンピュータに入力し、管理するシステムがある。例えば、特許文献１には、透析治療特有の情報を管理する電子カルテシステムが記載されている。
【先行技術文献】
【特許文献】
【０００３】
【特許文献１】特開２００５−２３５０９８号公報
【発明の概要】
【発明が解決しようとする課題】
【０００４】
透析治療においては、透析中の患者の状態を測定し、データベースに登録して管理することが行なわれている。データベースに登録され管理された患者のデータは、今後の治療計画などに使用するために、医師などの医療スタッフが必要に応じて端末を用いて参照する。
【０００５】
しかしながら、従来の患者の状態を示す透析治療画面では、１つの透析治療画面に１回の透析治療の患者の状態しか表示されないため、医療スタッフは、過去に遡って複数回の透析治療時の患者の状態を知りたいときには、透析治療毎に複数の画面を呼出し、それぞれの透析治療時の患者の状態を把握する必要がある。
【０００６】
そのため、医療スタッフは、例えば、透析治療を始めた直後の透析治療時の患者の状態から、現在の透析治療時の患者の状態の推移を検証したい場合、複数の画面をそれぞれ表示して見比べる必要があり、医療スタッフの操作負担が大きく、ストレスが生じる。
【０００７】
また、１つの画面に１回分の透析治療の情報しか表示されないため、過去の透析治療時の情報との関係性を把握しにくく、例えば、毎回、透析治療を開始してから１時間経過後に血圧が低下するなどの重要な患者の兆候を見過ごしてしまう恐れもある。
【０００８】
本発明は上記事情に鑑みてなされたものであり、本発明の目的は、透析治療において、患者の状態の過去からの推移を容易に把握できるようにし、医療スタッフの作業負荷を低減することにある。
【課題を解決するための手段】
【０００９】
上記課題を解決するために、本発明は、血圧データ表示端末であって、透析治療時の患者の時系列の血圧値を示す血圧データを、所定の期間分、サーバから取得する取得部と、取得した前記血圧データを用いて、透析日時、透析開始からの経過時間、及び血圧値の３次元で表現した３次元グラフを生成し、表示する生成部と、を有する。
【００１０】
本発明は、コンピュータが行う血圧データ表示方法であって、前記コンピュータは、透析治療時の患者の時系列の血圧値を示す血圧データを、所定の期間分、サーバから取得する取得ステップと、取得した前記血圧データを用いて、透析日時、透析開始からの経過時間、及び血圧値の３次元で表現した３次元グラフを生成する生成ステップと、前記３次元グラフを表示する表示ステップと、を行う。
【００１１】
本発明は、血圧データ表示端末として、コンピュータを機能させることを特徴とする血圧データ表示プログラムである。
【発明の効果】
【００１２】
本発明によれば、透析治療において、患者の状態の過去からの推移を容易に把握できるようにし、医療スタッフの作業負荷を低減することができる。
【図面の簡単な説明】
【００１３】
【図１】本発明の実施形態に係る透析管理システムの全体構成図である。
【図２】透析管理システムの動作を示すシーケンス図の一例を示す図である。
【図３】トップ画面の一例を示す図である。
【図４】２次元グラフ画面の一例を示す図である。
【図５】３次元グラフ画面の一例を示す図である。
【図６】３次元グラフの生成手順（第１ステップ）を示す図である。
【図７】３次元グラフの生成手順（第２ステップ）を示す図である。
【図８】３次元グラフの生成手順（第３ステップ）を示す図である。
【図９】３次元グラフの生成手順（第４ステップ）を示す図である。
【発明を実施するための形態】
【００１４】
以下、本発明の実施の形態を、図面を用いて説明する。
【００１５】
図１は、本実施形態の透析管理システムの全体構成を示す構成図である。本実施形態の透析管理システムは、医療スタッフ（例えば、医師、看護師等）が使用する端末１（血圧データ表示端末）と、サーバ２とを備える。端末１とサーバ２とは、無線ネットワークまたは有線のネットワークを介して通信可能であるものとする。
【００１６】
端末１は、患者のデータを表示する装置である。端末１には、タブレット端末、スマートフォンなどの通信装置（携帯端末）を用いることができる。図示する端末１は、取得部１１と、検知部１２と、生成部１３と、記憶部１４とを備える。
【００１７】
取得部１１は、医療スタッフが入力した患者ＩＤを受け付け、入力された患者ＩＤに対応する患者の状態を示す透析データをサーバ２から取得する。本実施形態では、取得部１１は、透析データとして、透析治療時の患者の時系列の血圧値を示す血圧データを、所定の期間分、サーバ２から取得する。なお、血圧データは、透析治療の開始から終了までに測定された血圧値の推移を示すデータである。
【００１８】
また、取得部１１は、透析データとして、透析治療時の患者の時系列の脈拍を示す脈拍データおよび透析治療時の患者の時系列の積算除水量を示す積算除水データを、所定の期間分、サーバから取得してもよい。
【００１９】
検知部１２は、端末１の画面の向きの変化を検知する。例えば、検知部１２は、加速度センサ、地磁気センサなどを用いて端末１の画面の向き（傾き）の変化を検知する。すなわち、医療スタッフが端末１を傾ける（端末１の画面を、縦向き（縦長）から横向き（横長）に、または、横向きから縦向きに傾ける）操作を検知する。
【００２０】
生成部１３は、サーバ２から取得した所定の期間の透析データを用いて、３次元グラフ（３Ｄグラフ）を生成する。本実施形態では、生成部１３は、所定の期間の血圧データを用いて、透析日時、透析開始からの経過時間、及び血圧値の３次元で表現した３次元グラフを生成する。また、生成部１３は、所定の期間の脈拍データおよび積算除水データについても、血圧データと同様に、３次元グラフを生成してもよい。また、本実施形態では検知部１２が画面の向きの変化を検知した場合、生成部１３は、３次元グラフを生成することとするが、これに限定されるものではない。
【００２１】
記憶部１４には、サーバ２から取得した所定の期間の透析データが記憶される。
【００２２】
本実施形態のサーバ２は、制御部２１と、患者ＤＢ（データベース）２２とを備える。制御部２１は、患者ＩＤを含むデータ要求を端末１から受信し、当該患者ＩＤに対応する患者の透析データを、所定の期間分、患者ＤＢ２２から読み出し、要求元の端末１に送信する。
【００２３】
患者ＤＢ２２には、患者ＩＤ毎に、各患者の透析治療時における透析データが履歴情報として、透析日付および透析経過時間（または測定時刻）とともに記憶されている。
【００２４】
以上説明した、端末１およびサーバ２には、例えば、ＣＰＵと、メモリと、ハードディスク等の外部記憶装置と、入力装置と、出力装置とを備えた汎用的なコンピュータシステムを用いることができる。このコンピュータシステムにおいて、ＣＰＵがメモリ上にロードされた所定のプログラムを実行することにより、各装置の各機能が実現される。例えば、端末１およびサーバ２の各機能は、端末１用のプログラムの場合は端末１のＣＰＵが、サーバ２用のプログラムの場合はサーバ２のＣＰＵがそれぞれ実行することにより実現される。
【００２５】
また、端末１用のプログラムおよびサーバ２用のプログラムは、ハードディスク、フレキシブルディスク、ＣＤ−ＲＯＭ、ＭＯ、ＤＶＤ−ＲＯＭなどのコンピュータ読取り可能な記録媒体に記憶することも、ネットワークを介して配信することもできる。
【００２６】
次に、本実施形態の透析管理システムの動作について説明する。
【００２７】
図２は、透析管理システムの動作を示すシーケンス図である。端末１の取得部１１は、患者ＩＤ（患者識別情報）を含むデータ取得要求を、サーバ２送信する（Ｓ１１）。例えば、取得部１１は、医療スタッフが入力した患者ＩＤを受け付けて、当該患者ＩＤを含むデータ取得要求を送信する。また、取得部１１は、他の方法により患者ＩＤを取得し、データ取得要求を送信することとしてもよい。
【００２８】
サーバ２の制御部２１は、端末１から送信されたデータ取得要求を受信すると、当該データ取得要求に含まれる患者ＩＤに対応する透析データを、所定の期間分、患者ＤＢ２２から読み出し（Ｓ１２）、読み出した透析データを要求元の端末１に送信する（Ｓ１３）。所定の期間分の透析データは、最新の透析日時から所定の期間（例えば、１ヶ月）遡った透析データである。なお、所定の期間分の透析データは、最新の透析治療から過去に遡って所定の回数分（例えば、１０回分）の透析データであってもよい。
【００２９】
透析データは、例えば、１回の透析治療毎の時系列の血圧値（血圧値の推移）を示す血圧データ、時系列の脈拍を示す脈拍データ、及び時系列の積算除水量を示す積算除水データなどである。また、制御部２１は、患者の氏名などの患者データ、及び最新の透析日時の透析治療における治療関連データ（指示基本情報、機材データ、薬剤データ等）も、患者ＤＢ２２から読み出し、端末１に送信する。
【００３０】
端末１の生成部１３は、透析データ、患者データ、及び治療関連データを受信し、受信したデータを記憶部１４に記憶する。そして、生成部１３は、サーバ２から受信した患者データ及び治療関連データを用いてトップ画面を生成し、端末１が備えるディスプレイに表示する（Ｓ１４）。
【００３１】
図３は、端末１のディスプレイに表示されるトップ画面の一例を示す図である。図示するトップ画面は、Ｓ１１で送信した患者ＩＤの氏名、及び当該患者の最新の透析日時の治療関連データが表示されている。
【００３２】
そして、端末１の生成部１３は、医療スタッフのグラフ表示指示の操作を受け付けると（Ｓ１５）、最新の透析日時の透析データを用いて２次元グラフ（２Ｄグラフ）を生成し、ディスプレイに表示する（Ｓ１６）。例えば、図３に示すトップ画面では、医療スタッフが「グラフ表示へ」３１のボタンをユーザがタッチ（タップ）することで、２次元グラフの生成指示が端末１に入力されるものとする。
【００３３】
図４は、端末１のディスプレイに表示される２次元グラフ画面の一例を示す図である。図示する２次元グラフ画面は、図３に示すトップ画面の一部の情報（氏名、治療関連データの一部）と、最新の透析日時の透析データの２次元グラフ４１とが表示されている。
【００３４】
図示する２次元グラフ４１には、最新の透析日時の血圧データ、脈拍データ、及び積算除水データの２次元グラフが示されている。また、血圧データには、収縮期血圧値（血圧高）と、血圧拡張期血圧値（血圧低）の２つの２次元グラフがある。
【００３５】
２次元グラフの横軸は、透析開始からの経過時間（または、測定時刻）であって、縦軸は、各データ（血圧データ、脈拍データ、及び積算除水データ）の値を示すものである。また、血圧データおよび脈拍データは、医療スタッフが血圧および脈拍を測定した測定タイミングと測定値とを対応付けた時系列のデータである。測定タイミングには、透析治療の開始からの経過時間、または、医療スタッフが血圧および脈拍を測定した測定時刻を用いる。医療スタッフは、任意の測定タイミングで患者の血圧および脈拍を測定し、測定結果を端末１などを用いてサーバ２の患者ＤＢ２２に登録する。生成部１３は、血圧データおよび脈拍データの時系列の測定値を直線で結ぶことで、２次元グラフを生成する。
【００３６】
積算除水データについては、図示しない透析装置が、所定のタイミング（例えば、１０分毎）に測定し、サーバ２の患者ＤＢ２２に登録する。生成部１３は、積算除水データの時系列の測定値を直線で結ぶことで、２次元グラフを生成する。
【００３７】
なお、図４では、血圧データ（収縮期血圧値、拡張期血圧値）、脈拍データ、及び積算除水データの４つのグラフを表示しているが、チェックボックス４２に医療スタッフがタッチしてチェックを外すことで、医療スタッフが所望のデータの２次元グラフのみ（例えば、血圧データのみ）を表示することができる。
【００３８】
そして、端末１の生成部１３は、図４に示す２次元グラフ画面が表示された状態で、医療スタッフの３次元グラフ表示指示の操作を受け付けると（Ｓ１７）、最新の透析日時の透析データを含む所定期間の透析データを用いて３次元グラフを生成し、ディスプレイに表示する（Ｓ１８）。
【００３９】
本実施形態では、医療スタッフが、端末１の画面を縦向き（縦長）から横向き（横長）に傾ける操作を行うことで、３次元グラフの生成指示が端末１に入力されるものとする。検知部１２は、端末１の画面の向き（傾き）の変化（縦向きから横向きへの変化）を検知し、３次元グラフ表示指示が入力されたことを生成部１３に通知する。なお、図３に示すトップ画面および図４に示す２次元グラフ画面が表示されている状態は、医療スタッフが、端末１の画面を縦向き（縦長）に保持しているものとする。
【００４０】
また、本実施形態では、医療スタッフが端末１の向きを変更することで、３次元グラフ表示指示を入力することとしたが、これ以外の方法で３次元グラフ表示指示を入力することとしてもよい。例えば、図４に示す２次元グラフ画面の中に「３次元グラフ表示へ」（不図示）のボタンを表示し、ユーザが当該ボタンをタッチすることで、３次元グラフ表示指示が端末１に入力されるようにしてもよい。
【００４１】
図５は、端末１のディスプレイに表示される３次元グラフ画面の一例を示す図である。図示する３次元グラフ画面は、図３に示すトップ画面の一部の情報と、血圧データ（収縮期血圧値（血圧高））の３次元グラフ５１とが表示されている。
【００４２】
生成部１３は、サーバ２から取得した最新の透析日付から所定期間の血圧データを用いて、透析日時、透析開始からの経過時間、及び血圧値の３次元で表現した血圧データの３次元グラフを生成する。
【００４３】
図５に示す例では、生成部１３は、縦方向を示す縦軸（Ｘ軸）に血圧値、横方向を示す横軸（Ｙ軸）に透析開始からの経過時間、奥行方向を示す奥行軸（Ｚ軸）に透析日時を設定している。また、生成部１３は、奥行軸の透析日付については、最新の透析日付の血圧データが、利用者から見て手前になり、過去に遡るにつれて後ろになるように３次元グラフを生成する。また、図５に示す３次元グラフの例では、透析開始からの経過時間については、最新の透析日付の透析治療において、医療スタッフが血圧を測定した測定時刻が設定されている。
【００４４】
図６から図９に、３次元グラフの生成手順を示す。まず、図６（ａ）に示すように、生成部１３は、各透析日付を、現在からみて新しいほど手前に、過去に遡るほど奥になるように、３次元グラフの奥行軸にプロット（設定）する。なお、図６から図９に示す例では、「○」を今日の血液データとし、「△」を２日前の血液データとし、「□」を４日前の血液データとして示している。また、図６（ａ）に示す例では、透析開始時の血圧値は、全ての透析日時において「０」としている。図６（ｂ）は、図６（ａ）に示すグラフを横からみたイメージ図である。図６（ｃ）は、図６（ａ）に示すグラフを上からみたイメージ図である。
【００４５】
次に、図７（ａ）に示すように、生成部１３は、各透析日付の血圧データを、３次元グラフにプロットする。なお、血圧データの各血圧値が測定時刻と対応付けられている場合は、生成部１３は、測定時刻を透析開始からの経過時間に変換して、３次元グラフにプロットする。図７（ｂ）は、図７（ａ）に示すグラフを横からみたイメージ図である。図７（ｃ）は、図７（ａ）に示すグラフを上からみたイメージ図である。
【００４６】
次に、図８（ａ）に示すように、生成部１３は、表面を生成するために、血圧データをプロットした図７（ａ）のグラフの上からメッシュ８１をかぶせる。図８（ｂ）は、図８（ａ）に示すグラフを横からみたイメージ図である。
【００４７】
これにより、図９（ａ）に示すように、メッシュ８１の表面（傾斜面）が形成され、プロットしたところで凹凸ができる。そして、生成部１３は、メッシュ８１をかぶせた図９（ａ）の３次元グラフに、ライトを当てることにより、図５に示すような影を生成する。この影により人の目は、グラフが３次元であると認識する。
【００４８】
また、生成部１３は、血圧値に応じて色の濃淡（明度、彩度など）を調整した３次元グラフを生成することとしてもよい。例えば、生成部１３は、血圧値が高いほど濃い色となり、血圧値が低くなるにつれて淡い色に変化するように、所定の色で着色した前記３次元グラフを生成してもよい。
【００４９】
図６から図９で説明した手順で３次元グラフを生成することにより、医療スタッフの測定タイミングが任意のタイミングであり、過去の透析治療時の測定タイミングと、最新の日付の透析治療時の測定タイミングとが異なる場合（揃わない場合）であっても、容易に３次元グラフを作成することができる。
【００５０】
なお、図５に示す３次元グラフは、収縮期血圧値（血圧高）のグラフであるが、医療スタッフが、図５に示すラジオボタン５２のいずれかをタッチすることで、生成部１３は、他の３次元グラフ（拡張期血圧値、脈拍、積算除水）の生成指示を受け付け、タッチされた他のデータの３次元グラフを図５に示す３次元グラフと同様に生成し、表示する。
【００５１】
また、図５に示す３次元グラフ画面が表示された状態で、図４に示す２次元グラフ画面に戻りたい場合は、医療スタッフは、端末１の画面を横向き（横長）から縦向き（縦長）に傾ける操作を行うことで、２次元グラフ表示指示が端末１に入力されるものとする。検知部１２は、端末１の画面の向き（傾き）の変化（横向きから縦向きへの変化）を検知し、２次元グラフ表示指示が入力されたことを生成部１３に通知する。これにより、生成部１３は、Ｓ１６の処理を行い、図４に示す２次元グラフ画面を生成し、表示する。
【００５２】
本実施形態では、医療スタッフが、端末１の画面を縦向き（縦長）から横向き（横長）に傾ける操作を行うことで、図４に示す２次元グラフ画面から図５に示す３次元グラフ画面に遷移し、また、医療スタッフが、端末１の画面を横向き（横長）から縦向き（縦長）に傾ける操作を行うことで、図５に示す３次元グラフ画面から図４に示す２次元グラフ画面に遷移するが、２次元グラフ画面および３次元グラフ画面の画面遷移は、上記操作に限定されるものではない。例えば、画面を横向き（横長）から縦向き（縦長）に傾ける操作を行うことで、２次元グラフ画面から３次元グラフ画面に遷移し、縦向き（縦長）から横向き（横長）に傾ける操作を行うことで、３次元グラフ画面から２次元グラフ画面に遷移することとしてもよい。
【００５３】
以上説明した本実施形態の端末１では、透析治療時の患者の時系列の血圧値を示す血圧データを、所定の期間分、サーバ２から取得する取得し、取得した血圧データを用いて、透析日時、透析開始からの経過時間、及び血圧値の３次元で表現した３次元グラフを生成し、表示する。
【００５４】
これにより、本実施形態では、透析治療において、患者の状態の過去からの推移を容易に把握できるようにし、医療スタッフの作業負荷を低減することができる。具体的には、医療スタッフが、過去に遡って複数回の透析治療時の患者の血圧の状態を知りたいときに、透析治療毎に複数の画面を呼出し表示することなく、１つの３次元グラフを表示するだけで、患者の血圧の過去からの推移を容易に把握することができる。すなわち、本実施形態では、血圧データを３次元グラフで表現することで、所定の期間の血圧データを俯瞰して確認することができる。
【００５５】
また、本実施形態では、３次元グラフで表現することにより、過去の透析治療時の情報との関係性を容易に把握でき、例えば、毎回、透析治療を開始してから１時間経過後に血圧が低下するなどの重要な患者の兆候を、容易に検知することができる。また、所定の期間の３次元グラフを表示することで、例外の血圧値（外れ値）に囚われない見方をすることができる。
【００５６】
また、本実施形態では、３次元グラフで表現することにより、過去の血圧データと類似する血圧データであっても線の重なりが発生しにくく、見やすいグラフを表示することができる。
【００５７】
また、本実施形態では、端末１の画面の向き傾ける（回転させる）操作を行うことで、３次元グラフ画面の表示指示を検知する。これにより、医療スタッフは、簡単な操作で３次元グラフ画面を表示させることができるため、医療スタッフの利便性を向上することができる。
【００５８】
以上、本発明の実施の形態について説明してきたが、本発明の要旨を逸脱しない範囲において、本発明の実施の形態に対して種々の変形や変更を施すことができる。
【符号の説明】
【００５９】
１  ：端末
１１：取得部
１２：検知部
１３：生成部
１４：記憶部
２  ：サーバ
２１：制御部
２２：患者ＤＢ  
【図１】
2017148162.tif 000003
【図２】
2017148162.tif 000004
【図３】
2017148162.tif 000005
【図４】
2017148162.tif 000006
【図５】
2017148162.tif 000007
【図６】
2017148162.tif 000008
【図７】
2017148162.tif 000009
【図８】
2017148162.tif 000010
【図９】
2017148162.tif 000011